(57)【特許請求の範囲】
【請求項１】
封入口（１）に折り返し線（２）を介して封緘片（３）を備えた封筒体（４）であって、その一方の側辺部（５）を折り返し線（２）より垂直に延長して封緘片（３）の高さの先端延長線と交叉する部分となる封緘のり部（１８）の位置に延長し、その延長端（６）と他方の側辺部（７）との間で延長端（６）から裏側口縁部（８）とを結ぶ長さが短くとも封入口（１）の中央部分の位置となるものとした裏紙（９）の部分を封緘片（３）の上に形成して誘導片（１０）とし、その延長側辺部（１１）においては裏紙（９）と封緘片（３）とが連続状態として設けたことを特徴とする封入口を広くした封筒。
【発明の詳細な説明】
【０００１】
【発明の属する技術分野】
この発明は、封筒の封入口を封筒の幅よりも長くして、封入口を広くした封筒及びその誘導片に関するものである。
【０００２】
【従来の技術】
従来の封筒の側辺部が折れ線によって厚さを設けていない封筒体にあっては、その封入口が封筒の幅より広いものはなかった。
目的が異なり構造も異なるもので、見た目が同じように感じられるものとしては、中身を傷つけずに開けられる封筒（実開昭６１−７７３３８号）があった。
【０００３】
【発明が解決しようとする課題】
従来の封筒体の側辺部が折れ線で形成した厚さのない封筒体においては、その封入口を開けるとその封入口の最大である幅よりも狭いものとなるもので、封入物を反り曲げてその幅を小さくしたり、注意深くゆっくりと差し込まなければならないという入れ難い欠点があった。
また、封入物の幅が狭くなるように折り畳みを重ねると厚い物となり、郵送料が高くなる損もあって、なるべく封筒の幅一杯に折り畳んでから封筒に挿入したいものでもあった。
封入物がＡ４判やＢ５判の書類で折らずに送りたいときなどの大型の封筒幅に一杯のものを、封入口から挿入することにおいても、裏側口縁部に書類が引っ掛かるなど同じように手間の掛かる欠点があった。
【０００４】
また、実開昭６１−７７３３８号のものでは、封緘したときののり付け部分が封入物に付着して破損させてしまうことから、この子孔を大きくすることが出来ないもので、若しこの孔を大きくすれば、封緘片の下側に内部が直接見えてしまう孔ができ、この孔から封筒が破損される恐れのあるものでもあった。
したがって、裏側口縁部を長くして封入口を広くすることは、出来ないものであった。
【０００５】
【課題を解決するための手段】
本発明は、封筒体４の封入口１を封筒体４の横幅よりも長くして、封入物１４を挿入し易くする誘導片１０を裏側口縁部８より設けるものであって、一方の側辺部５が折り返し線２より垂直に延長して封緘片３の高さの先端延長線と交叉する部分となる封緘のり部１８の位置に延長し、その延長端６と他方の側辺部７との間で延長端６から裏側口縁部８とを結ぶ長さが短くとも封入口１の中央部分の位置となるものとした裏紙９の部分を封緘片３の上に形成して誘導片１０とし、その延長側辺部１１においては裏紙９と封緘片３とが連続状態として設けることを手段としている。
このように、誘導片１０によってその封入口１の幅となる長さは、他方の側辺部７の上端となる側辺上端部１６から一方の側辺部５に向けた水平状態の長さよりも傾斜状態の長さのものが長いものとなって封入口１が広くなり、封筒体４の幅に一杯の書類等の挿入を容易にする手段としている。
この傾斜状態の封入口１を、逆の傾斜とすることもできる。
【０００６】
【発明の実施の形態】
本発明に係わる実施の形態を、図１に基づいて説明する。図１は、封筒体４の裏側を示す背面図である。
封筒体４は、封入口１に折り返し線２を介して封緘片３を備えたものであって、その一方の側片部５を折り返し線２より垂直に延長して封緘片３の高さの先端延長線と交叉する部分となる封緘のり部１８の位置に延長し、その延長端６と他方の側辺部７からの裏側口縁部８とを直線で結んだ傾斜状態の縁を裏側口縁部８'とし、封緘片３の上に重なる裏紙９を誘導片１０として形成している。
この誘導片１０は他方の側辺部７の逆より設けることが考えられる。
この誘導片１０の延長側辺部１１においては、裏紙９と封緘片３とが連続状態として形成している。
【０００７】
以上に示した封筒体４に封入物１４を挿入するときには、図２に示すようにする。
まず、封入物１４の右下端１５を他方の側辺部７である側辺上端部１６となる封入口１に差し入れ、側辺上端部１６を軸として固定状態にする。このとき、指先などで誘導片１０を摘まみ上げて、封入口１を広げることが出来る。
そして、封入物１４が側辺上端部１６を軸にして回動させて封入口１へ差し入れると、封入物１４の左下端１７が延長端６より内側になる。これは、封筒体４の幅よりも延長端６から側辺上端部１６までの長さが大きくなることによるものである。
封入物１４は、誘導片１０の案内によって封入口１に入って封入物１４と封筒体４とが平行状態となり、裏側口縁部８に封入物１４が引っ掛かることなく、挿入が円滑に出来るものである。
【０００８】
図３に示す封筒体４のものでは、延長端６から他方の側辺部７への裏側口縁部８’を、直線ではなく波型の線によって結んでいるものとしている。この図３のものは、誘導片１０が指先などで摘み易く、封入口１を広くして取り扱いの良いものである。
【０００９】
図４のものでは、裏側口縁部８’を曲線によって形成しているものであって、誘導片１０による裏側口縁部８’は直線ばかりだけでなく様々な線によって形成されるものであり、図５に示す延長端６から側辺上端部１６へと直接結んだ裏側口縁部８'にすること等が考えられるものである。
また、横長の洋式封筒のものにおいても誘導片１０を設けることが考えられることは当然である。
【００１０】
他の実施の形態として考えられるものとしては、図６から図８までのものがある。これは、誘導片１０を封筒体４から切り離した状態のものであって、その単体誘導片１２に糊代部１３を設けたものとしている。
【００１１】
以上に示した誘導片１０を設けた封筒体４を封緘するときには、封緘片３と誘導片１０とを折り返し線２のところで下側に折り返す。
これは、従来のものと同じであって、封緘片３の部分が二枚重ねの状態で折り返すことになる点が異なるものとしている。
また、封緘片３の封緘のり部１８は、封緘片３の全体に掛からない先端側だけとした状態や封緘片３の面に広や掛かった状態として設けることが出来るものである。
本発明に係わる誘導片１０は、左右の側辺部５，７に幅を設けていてその幅の中央に縦方向の谷折り部分を設けた厚みのある封筒に対しても、適応する形にすることが出来るものである。
本発明に係わる封筒は、封緘されたものを切り開けた後では誘導片１０が封緘のり部１８によって封筒体４と連結して残るものである。
したがって、図９に示すように、特に、Ｂ５判やＡ４判に対応する用紙サイズの封筒のものは、その誘導片１０の折り込まれた状態となっている部分を引き出してから、図９のＡからＣに示す折り返し手順によって突出した見出し１９を形成することが出来るものである。
この見出し１９とした誘導片１０には、孔を設けてカ−ドリングやフック等に吊り掛けたり、色や切り欠き部などの選別手段を設けたりすることでより良い整理用収納袋となるものである。
本立てや机の引き出し、それにボックスファイル等にこの見出し付き封筒体４を横に立て掛けて並べると、その見出し１９が同じ位置となって見分け難く感じるものであるが、指先で見出し１９部分を撫でるように擦り動かすことで本のペ−ジをパラパラ捲る状態と同じようになるので、選別が容易に出来るものである。
また、机の引き出しに平重ねに並べるものでは、誘導片１０の見出し１９の位置を右と左とに互い違いに並べることも出来るものである。
【００１２】
【発明の効果】
本発明に係わる封筒を使用するときには、封筒の幅一杯となる封入物であっても裏側口縁部８に封入物が引っ掛かることなく、挿入が容易になるものであり、封入物の折り畳み方を薄いものとすれば郵送料が高くなることはない。
封筒体４に孔や切れ線などを設けることがないので、封筒体４を破損する恐れがない。
また、誘導片１０を指で摘まみ上げれば、封筒体４の幅を反り曲げることなく、封入口１を開けることができる。
開封後の封筒体４は、その誘導片１０が見出し１９や吊り掛け部として使うことが出来るので、整理用収納袋として役立つものである。
単体誘導片１２によって、従来の封筒を無駄にすることなく、生かすことが出来るものである。
封筒以外の袋物においても、その袋口に誘導片１０を設けることは、当然出来るものである。
【図面の簡単な説明】
【図１】本発明に係わる封筒体の裏側を示す背面図である。
【図２】封筒体に封入物を挿入する状態を示す説明図である。
【図３】誘導片の裏側口縁部を波型の線とした背面図である。
【図４】誘導片の裏側口縁部を曲線とした背面図である。
【図５】延長端資と側辺上端部とを結んだ裏側口縁部を示す背面図である。
【図６】直線の裏側口縁部による単体誘導片を示す正面図である。
【図７】波線の裏側口縁部による単体誘導片を示す正面図である。
【図８】封筒幅の長さとした単体誘導片を示す正面図である。
【図９】開封後の誘導片を見出しにする手順ＡＢＣを示す説明図である。
【符号の説明】
１  封入口
２  折り返し線
３  封緘片
４  封筒体
５  一方の側辺部
６  延長端
７  他方の側辺部
８，８’裏側口縁部
９  裏紙
１０  誘導片
１１  延長側辺部
１２  単体誘導片
１３  糊代部
１４  封入物
１５  右下端
１６  側辺上端部
１７  左下端
１８  封緘のり部
１９  見出し
【図１】
0003817712.tif 000002
【図２】
0003817712.tif 000003
【図３】
0003817712.tif 000004
【図４】
0003817712.tif 000005
【図５】
0003817712.tif 000006
【図６】
0003817712.tif 000007
【図７】
0003817712.tif 000008
【図８】
0003817712.tif 000009
【図９】
0003817712.tif 000010